(57)【要約】【課題】床剛性の低下や床鳴りを生じさせることなく、しかも環境汚染を生じさせることもない、在来工法住宅における一階の床構造およびその施工方法を提供する。【解決手段】在来工法住宅の一階の床に適用される床構造Ｋであって、床下地部材１を並列配置し、床下地部材１の前端部および／または後端部を当該列の２連脚床支持具Ｓの主部により支持し、側端部を隣接列の２連脚床支持具Ｓの端部により支持してなるものである。２連脚床支持具Ｓは、自己補強型鋼製大引２と前記鋼製大引２の底部両端に硬質の断熱部材２４を介して装着された一対の鋼製束３，３とを備えてなるものとされる。【選択図】  図１
2005042348.tif 000002
【特許請求の範囲】
【請求項１】
在来工法住宅の一階の床に適用される床構造であって、
床下地部材の前端部および／または後端部を２連脚床支持具の主部により支持してなることを特徴とする床構造。
【請求項２】
床下地部材の側端部を２連脚床支持具の端部により支持してなることを特徴とする請求項１記載の床構造。
【請求項３】
２連脚床支持具が、鋼製大引と、前記鋼製大引の底部両端に硬質の断熱部材を介して装着された一対の鋼製束とを備えてなることを特徴とする請求項１記載の床構造。
【請求項４】
鋼製大引の底面および側面が断熱部材により被覆されてなることを特徴とする請求項３記載の床構造。
【請求項５】
鋼製大引の側面全面が断熱部材により被覆されてなることを特徴とする請求項４記載の床構造。
【請求項６】
床下地部材裏面に床下地部材断熱部材が配設されてなることを特徴とする請求項１記載の床構造。
【請求項７】
床下地部材断熱部材の前縁、側縁または後縁が、鋼製大引を被覆している断熱部材の上端面により支持されてなることを特徴とする請求項６記載の床構造。
【請求項８】
鋼製大引を被覆している断熱部材の鋼製束が配設される個所には切欠きが設けられ、その切欠き部に硬質の断熱部材が配設されてなることを特徴とする請求項３記載の床構造。
【請求項９】
硬質の断熱部材の幅が鋼製大引の幅より広くされてなることを特徴とする請求項３記載の床構造。
【請求項１０】
鋼製大引の上面に緩衝用フィルムが貼付されてなることを特徴とする請求項３記載の床構造。
【請求項１１】
緩衝用フィルムに施工マークが付されてなることを特徴とする請求項１０記載の床構造。
【請求項１２】
鋼製大引が自己補強型鋼製大引とされてなることを特徴とする請求項３記載の床構造。
【請求項１３】
鋼製大引が２材からなり、底面を構成する板材が他の面を構成する板材より厚くされてなることを特徴とする請求項１２記載の床構造。
【請求項１４】
鋼製大引の各面が補強されてなることを特徴とする請求項１３記載の床構造。
【請求項１５】
鋼製束が、レベル調整ボルトと、該ボルトの昇降をロックするナットとを有してなることを特徴とする請求項３記載の床構造。
【請求項１６】
鋼製束が、レベル調整ボルトの頭部をロックするナットを有してなることを特徴とする請求項１５記載の床構造。
【請求項１７】
ナットの端面に緩み防止加工がなされてなることを特徴とする請求項１６記載の床構造。
【請求項１８】
鋼製大引が鋼製束のレベル調整ボルトの頭部を格納する束取付け部材を有してなることを特徴とする請求項１６記載の床構造。
【請求項１９】
束取付け部材がボルトの頭部の回転を禁止するストッパーを有してなることを特徴とする請求項１６記載の床構造。
【請求項２０】
ストッパーが、束取付け部材の頭部格納部側壁を内方に突出させることにより形成されてなることを特徴とする請求項１９記載の床構造。
【請求項２１】
束取付け部材が、断熱部材受け部を有してなることを特徴とする請求項１６記載の床構造。
【請求項２２】
断熱部材受け部により鋼製大引を被覆している断熱部材が支持されてなることを特徴とする請求項２１記載の床構造。
【請求項２３】
断熱部材受け部により床パネルを断熱している断熱部材が支持されてなることを特徴とする請求項１８記載の床構造。
【請求項２４】
床下地部材断熱部材の前縁、側縁または後縁が、土台に配設された床下地部材断熱部材受け部材により支持されてなることを特徴とする請求項６記載の床構造。
【請求項２５】
床下地部材が針葉樹合板とされてなることを特徴とする請求項１記載の床構造。
【請求項２６】
床下地部材がさねはぎ構造により接合されてなることを特徴とする請求項２５記載の床構造。
【請求項２７】
前記接合が接着剤を用いてなされることを特徴とする請求項２６記載の床構造。
【請求項２８】
床下地部材を土台に固定する止め金具と、床下地部材を鋼製大引に固定する止め金具とが、同一タイプとされてなることを特徴とする請求項３記載の床構造。
【請求項２９】
在来工法住宅の一階の床に適用される２連脚床支持具を有する床構造の施工方法であって、
２連脚床支持具をその主部が床下地部材の前端部および／または後端部を支持する位置に配設する手順と、
床下地部材の前端部および／または後端部を２連脚床支持具の主部に支持する手順とを含んでいることを特徴とする床構造の施工方法。
【請求項３０】
２連脚床支持具をその端部が床下地部材の側端部を支持する位置に配設する手順と、
床下地部材の側端部を２連脚床支持具の端部に支持する手順とが付加されていることを特徴とする請求項２９記載の床構造の施工方法。
【請求項３１】
床下地部材を土台に固定する工具と、床下地部材を２連脚床支持具に固定する工具とが同一タイプとされていることを特徴とする請求項２９記載の床構造の施工方法。
【請求項３２】
請求項１ないし請求項２８のいずれか一項に記載の床構造を備えてなることを特徴とする住宅。
【発明の詳細な説明】
【０００１】
【発明の属する技術分野】
本発明は床構造およびその施工方法に関する。さらに詳しくは、主として在来工法による住宅に適用する床構造およびその施工方法に関する。
【０００２】
【従来の技術】
近年、戸建て住宅（以下、単に住宅という）においては品質が安定しているなどの理由により、いわゆるプレハブ住宅が多くなってきているが、未だ、工務店により在来工法によって建てられる住宅（以下、在来工法住宅）が大半を占めているのが実情である。
【０００３】
かかる在来工法住宅における一階床構造は、木製大引に木製根太を配し、その上に構造用合板を配置してなるものとされる。
【０００４】
しかるに、木製大引および木製根太は木そのものを用いているため、木瘠せ、そり、あばれなどに起因する床剛性の低下や床鳴りなどの問題が生じている。
【０００５】
また、特に木製大引は、防腐・防蟻処理をする必要があるが、この防蟻処理に使用する薬剤は有害な性質を有しているため、その処理に際してはそれなりの安全対策を講ずる必要がある。そのため、施工の煩雑性および長期化を招来するばかりでなく、環境汚染を招来するおそれもあるという問題がある。
【０００６】
さらに、高齢化社会が到来したことにより、増改築時にバリアフリー床を簡単に提供できる床構造の出現が関係者から熱望されている。
【０００７】
【発明が解決しようとする課題】
本発明はかかる従来技術の課題に鑑みなされたものであって、床剛性の低下や床鳴りを生じさせることなく、しかも環境汚染を生じさせることもない、在来工法住宅における一階の床構造およびその施工方法を提供することを目的としている。
【０００８】
【課題を解決するための手段】
本発明の床構造は、在来工法住宅の一階の床に適用される床構造であって、床下地部材の前端部および／または後端部を２連脚床支持具の主部により支持してなることを特徴とする。
【０００９】
本発明の床構造においては、床下地部材の側端部を２連脚床支持具の端部により支持してなるのが好ましい。
【００１０】
また、本発明の床構造においては、２連脚床支持具が、鋼製大引と、前記鋼製大引の底部両端に硬質の断熱部材を介して装着された一対の鋼製束とを備えてなるのが好ましい。
【００１１】
さらに、本発明の床構造においては、鋼製大引の底面および側面が断熱部材により被覆されてなるのが好ましい。その場合、鋼製大引の側面全面が断熱部材により被覆されてもよい。
【００１２】
さらに、本発明の床構造においては、床下地部材裏面に床下地部材断熱部材が配設されてなるのが好ましい。
【００１３】
さらに、本発明の床構造においては、床下地部材断熱部材の前縁、側縁または後縁が、鋼製大引を被覆している断熱部材の上端面により支持されてなるのが好ましい。
【００１４】
さらに、本発明の床構造においては、鋼製大引を被覆している断熱部材の鋼製束が配設される個所には切欠きが設けられ、その切欠き部に硬質の断熱部材が配設されてなるのが好ましい。
【００１５】
さらに、本発明の床構造においては、硬質の断熱部材の幅が鋼製大引の幅より広くされていてもよい。
【００１６】
さらに、本発明の床構造においては、鋼製大引の上面に緩衝用フィルムが貼付されてなるのが好ましい。
【００１７】
さらに、本発明の床構造においては、緩衝用フィルムに施工マークが付されてなるのが好ましい。
【００１８】
さらに、本発明の床構造においては、鋼製大引が自己補強型鋼製大引とされてなるのが好ましい。
【００１９】
さらに、本発明の床構造においては、鋼製大引が２材からなり、底面を構成する板材が他の面を構成する板材より厚くされてなるのが好ましい。
【００２０】
さらに、本発明の床構造においては、鋼製大引の各面が補強されてなるのが好ましい。
【００２１】
さらに、本発明の床構造においては、鋼製束が、レベル調整ボルトと、該ボルトの昇降をロックするナットとを有してなるのが好ましい。
【００２２】
さらに、本発明の床構造においては、鋼製束が、レベル調整ボルトの頭部をロックするナットを有してなるのが好ましい。
【００２３】
さらに、本発明の床構造においては、ナットの端面に緩み防止加工がなされてなるのが好ましい。
【００２４】
さらに、本発明の床構造においては、鋼製大引が鋼製束のレベル調整ボルトの頭部を格納する束取付け部材を有してなるのが好ましい。
【００２５】
さらに、本発明の床構造においては、束取付け部材がボルトの頭部の回転を禁止するストッパーを有してなるのが好ましい。
【００２６】
さらに、本発明の床構造においては、ストッパーが、束取付け部材の頭部格納部側壁を内方に突出させることにより形成されてなるのが好ましい。
【００２７】
さらに、本発明の床構造においては、束取付け部材が、断熱部材受け部を有してなるのが好ましい。
【００２８】
さらに、本発明の床構造においては、断熱部材受け部により鋼製大引を被覆している断熱部材が支持されてなるのが好ましい。
【００２９】
さらに、本発明の床構造においては、断熱部材受け部により床パネルを断熱している断熱部材が支持されてなるのが好ましい。
【００３０】
さらに、本発明の床構造においては、床下地部材断熱部材の前縁、側縁または後縁が、土台に配設された床下地部材断熱部材受け部材により支持されてなるのが好ましい。
【００３１】
さらに、本発明の床構造においては、床下地部材が針葉樹合板とされてなるのが好ましい。
【００３２】
さらに、本発明の床構造においては、床下地部材がさねはぎ構造により接合されてなるのが好ましい。その場合、前記接合が接着剤を用いてなされるのがさらに好ましい。
【００３３】
さらに、本発明の床構造においては、床下地部材を土台に固定する止め金具と、床下地部材を鋼製大引に固定する止め金具とが、同一タイプとされてなるのが好ましい。
【００３４】
一方、本発明の床構造の施工方法は、在来工法住宅の一階の床に適用される２連脚床支持具を有する床構造の施工方法であって、２連脚床支持具をその主部が床下地部材の前端部および／または後端部を支持する位置に配設する手順と、床下地部材の前端部および／または後端部を２連脚床支持具の主部に支持する手順とを含んでいることを特徴とする。
【００３５】
本発明の床構造の施工方法においては、２連脚床支持具をその端部が床下地部材の側端部を支持する位置に配設する手順と、床下地部材の側端部を２連脚床支持具の端部に支持する手順とが付加されているのが好ましい。
【００３６】
また、本発明の床構造の施工方法においては、床下地部材を土台に固定する工具と、床下地部材を２連脚床支持具に固定する工具とが同一タイプとされているのが好ましい。
【００３７】
しかして、本発明の床構造は住宅に適用される。
【００３８】
【作用】
本発明は、前記の如く構成されているので、木瘠せ、そり、あばれなどに起因する床剛性の低下や床鳴りなどが防止されるばかりでなく、環境汚染を招来するおそれもない。また、増改築時にバリアフリーの床を簡単に提供できる。
【００３９】
【発明の実施の形態】
以下、添付図面を参照しながら本発明を実施形態に基づいて説明するが、本発明はかかる実施形態のみに限定されるものではない。
【００４０】
本発明の一実施形態に係る床構造、より具体的には充填断熱工法による床構造を図１に斜視図で示す。
【００４１】
床構造Ｋは、図１に示すように、床下地板材１と、床下地板材１の前端部および後端部を支持する鋼製大引２と鋼製束３とからなる２連脚床支持具Ｓと、床の断熱をする断熱部材４とを主要構成要素として備えてなるものとされる。この場合、床下地は、図１に示すように、縦列状に配置された床下地板材１の列が複数列設けられてなるものとされる。
【００４２】
床下地板材１は、例えば所定厚さ（例えば２８ｍｍ厚さ）の針葉樹合板などの構造用合板、いわゆる厚物構造用合板とされる。床下地板材１の一側にはさね１ａが設けられ、他側には溝（いわゆる小穴）１ｂが形成されてさねはぎ構造（図２参照）とされ、柱Ｃ部分に位置する角部は、図１に示すように、柱Ｃの角に合わせて適宜切り欠かれている。床下地板材１の側部がさねはぎ構造とされ、かつ、そのさねはぎを接着剤により接着することにより、側部を全長に渡って鋼製大引２により支持しなくても所定の床倍率が確保される。
【００４３】
また、床下地板材１の布基礎Ｂ側の側縁は、図１に示すように、布基礎Ｂ上に配設されている土台５に載置されている。
【００４４】
２連脚床支持具Ｓは、鋼製大引２と、鋼製大引２の底部両端に配設された一対の鋼製束３，３とを主要構成要素としてなるものとされる。ここで、鋼製束３，３は、図１に示すように、中心振り分けされその軸心間が載置される床下地板材１の幅と一致させられている。２連脚床支持具Ｓは、かかる構成とされていることにより、その主部（鋼製大引２の鋼製束３，３により支持されている部分）で当該列の床下地板材１の前端部または後端部を支持するとともに、その端部（鋼製大引２の鋼製束３，３により支持されている部分の外側の部分）で隣接列の床下地板材１の側端部中央を支持するものとされている。
【００４５】
つまり、床下地板材１は、基本的には、その前後の四角を当該列の２連脚床支持具Ｓの鋼製束３により支持され、側部中央を隣接列の２連脚床支持具Ｓの鋼製束３により支持されるようにされている。
【００４６】
鋼製大引２は、図３に示すように、底面２ａを構成する第１材２１と、両側２ｂ，２ｂおよび上面２ｃを構成する第２材２２とを底面２ａの両側部でかしめてなるものとされる。このかしめられた部分は４層となるので、自身で曲げに対する補強がなされることになる。つまり、鋼製大引２は、自己補強型鋼製大引となる。
【００４７】
鋼製大引２は、前掲の如く２材で構成されているので、強度を必要とする底面２ａの板厚を厚くでき、その他の面２ｂ，２ｃの板厚を薄くできる。そのため、サイズの小型化および軽量化を図りながら所望の強度とすることができる。例えば、鋼製大引２のサイズを６０ｍｍＸ６０ｍｍ角とし、底面２ａの板厚を１．０ｍｍとし、両側面２ｂ，２ｂおよび上面２ｃの板厚を０．８ｍｍとすることにより、従来の９０ｍｍＸ９０ｍｍ角サイズの木製大引に比して１ｍ当り約２ｋｇの軽量化が図られる。また、鋼製大引２のサイズを小型化できることにより、その表面積つまり伝熱面積を減少させることができ、いわゆる熱橋問題の対策も容易となる。また、鋼製大引２には例えば亜鉛メッキ鋼板が用いられる。
【００４８】
さらに、鋼製大引２の底面２ａ、両側面２ｂ，２ｂおよび上面２ｃは、図３に示すように、適宜凹凸が形成されて面自体の剛性が高められてその補強もなされている。これにより、鋼製大引２の小サイズ化が促進される。
【００４９】
鋼製束３は、図４に示すように、上端部にターンブッシュ３２が配設され下端部にベースプレート３３が配設された円筒体からなる束本体３１と、前記ターンブッシュ３２に装着されたレベル調整ボルト３４と、前記レベル調整ボルト３４を昇降させる昇降ナット３５と、前記昇降ナット３５を格納する格納部３６ａを下端部に有する下部ロックナット３６と、上端面にロッキングセレーション加工がなされてボルト頭部３４ａをロックする上部ロックナット３７とを有するものとされる。昇降ナット３５、下部ロックナット３６および上部ロックナット３７は、レベル調整ボルト３４の下端からこの順で同レベル調整ボルト３４に螺着される。この鋼製束３にも所定の防錆、例えば亜鉛を基調とした防錆がなされている。
【００５０】
断熱部材４は例えば押出し法ポリスチレンホームからなるものとされ、床下地板材１裏面に配設されてその断熱をなす床下地板材断熱部材４Ａと、鋼製大引２下部に外嵌され、つまり鋼製大引２下部を被覆してその断熱をなす大引断熱部材４Ｂとを含むものとされる。
【００５１】
以下、本実施形態に係る床構造Ｋの詳細について説明する。
【００５２】
図５に鋼製大引２回りの部材を分解して示す。鋼製大引２回りの部材は、図５に示すように、鋼製大引上面２ｃに貼付される例えば合成樹脂からなる緩衝用フィルム２３と、鋼製大引２下部に外嵌される細長箱体とされた大引断熱部材４Ｂと、大引断熱部材４Ｂの底部両端に設けられた切欠き４１に装着される例えばパーティクルボードからなる硬質の束受け断熱部材２４と、束受け断熱部材２４の下面（土間に面する面）に装着される束取付け部材２５とを含むものとされる。
【００５３】
緩衝用フィルム２３には、図５に示すように、載置される床下地板材１の幅に対応させた位置決めマーク（施工マーク）２３ａ，２３ａが付されている。つまり、鋼製束３の軸心に対応させた位置に位置決めマーク２３ａが付されている。
【００５４】
図６に、束取付け部材２５を詳細に示す。束取付け部材２５は、図６に示すように概略長方形状とされた金属平板を例えばプレス成形してなるものとされる。すなわち、束取付け部材２５は、中央部に円形状に突出成形されたレベル調整ボルト３４の頭部３４ａを格納するボルト頭部格納部２５ａと、ボルト頭部格納部２５ａ底面にボルト頭部３４ａに対応させて形成されたボルト頭部３４ａを挿通させるボルト頭部挿通透孔２５ｂと、ボルト頭部格納部２５ａの周囲に適宜配置により形成されたドリルねじ挿通透孔２５ｃと、長手方向両端部に耳状に形成された断熱部材受け部２５ｄとを有するものとされる。
【００５５】
ボルト頭部格納２５ａ部内周面には、レベル調整ボルト３４の頭部３４ａが所定角度例えば９０度回転させられたときに、それ以上の回転を防止するストッパー２５ｅが一対対向させて配設されている。このストッパー２５ｅの配設は、例えばボルト頭部格納部２５ａ側壁の対応位置を内方に向けて突出させることによりなされる。
【００５６】
この束取付け部材２５の鋼製大引２への取付けは、図７に示すように、例えばその長手方向を鋼製大引２の長手方向に一致させ束取付け部材２５内面を束受け断熱部材２４に当接させた状態で、つまりボルト頭部格納部２５ａを突出させた状態で、前記ドリルねじ挿通透孔２５ｃからドリルねＳＢを挿通し、そのドリルねじＳＢ先端を鋼製大引２内に貫通させ、ドリルねじＳＢを鋼製大引２の底面２ａに螺着させることによりなされる。束取付け部材２５をかかる態様で取付けることにより、鋼製大引２と鋼製束３との間のいわゆる熱橋問題を防止し、かつ断熱部材受け部２５ｄで大引断熱部材４Ｂに設けられた切欠き側縁４２を受けることができる。
【００５７】
また、束取付け部材２５が取付けられた鋼製大引２への鋼製束３の取付けは、例えば図８に示すＴボルト（レベル調整ボルト）３４に図９に示すロッキングセレーション３７ａ付ナット（上部ロックナット）３７を螺着し、ついでＴボルト頭部３４ａを束取付け部材２５に設けられたボルト頭部挿通透孔２５ｂからボルト頭部３４ａをボルト頭部格納部２５ａに挿通してストッパー２５ｅに当接するまで回転させる。この状態で上部ロックナット３７をボルト頭部３４ａに向けて螺進させて締め込む。（これにより、ボルト頭部３４ａは、束受け断熱部材２４とボルト頭部格納部２５ａ底面とにより挾持されてその回転が防止される。つまり、レベル調整ボルト３４がロックされた状態で鋼製大引２への取付けがなされる。また、上部ロックナット３７は、ボルト頭部格納部２５ａ底面と当接する端面にロッキングセレーション３７ａなどの緩み防止部が形成されているので、その緩みが防止されてレベル調整ボルト３４のロックが維持される。）しかる後、このレベル調整ボルト３４に下部ロックナット３６を螺着し、ついで昇降ナット３５を螺着することにより束本体３１の装着がなされる。
【００５８】
しかして、鋼製大引２の底部両端に鋼製束３，３が装着されて２連脚床支持具が完成する。なお、鋼製束３の鋼製大引２への装着は、施工現場においてなされてもよく、工場にてなされてもよい。
【００５９】
図１０に、組付けが完了した状態の床構造Ｋを示す。図１０に示すように、一方の床下地板材１の前端と他方の床下地板材１の後端は、所定の隙間を設けて鋼製大引２に載置され、その前端部および後端部のそれぞれがドリルねじＳＢで鋼製大引２に固定されている。なお、図１０中の符号ＢＳは通気パッキンが介装されるスペースを示し、符号Ｆはフローリングなどの仕上床を示し、符号ＮＤは釘を示し、符号ＷＳは木ねじを示す。
【００６０】
組付けが完了した状態の床構造Ｋは、図１および図１０に示すように、土台５側面に設けられた床下地板材断熱部材受け金具（受け部材）６と、鋼製大引２に装着された大引断熱部材４Ｂの上端面４３とにより床下地板材断熱部材４Ａを支持し、その状態で例えば土台５と２連脚床支持具Ｓとの間もしくは２連脚床支持具Ｓ，Ｓ間に床下地板材１をその前端部または後端部が鋼製大引２に載置されるようにして配設してなるものとされる。このため、大引断熱部材４Ｂの上端面４３の位置は、鋼製大引２の上面２ｃとの間に床下地板材断熱部材４Ａが配設されるように調整されている。
【００６１】
図１１および図１２に床下地板材断熱部材受け金具６により床下地板材断熱部材４Ａを受けている状態を示す。また、図１３〜図１５に床下地板材断熱部材受け金具６の詳細を示す。
【００６２】
床下地板材断熱部材受け金具６は、例えば金属平板を折り曲げ加工してなるものであって、土台５側面に当接する当接面６１と、土台５側面に打ち込まれて床下地板材断熱部材受け金具６を土台５側面に固定する一対の固定爪６２，６２と、床下地板材断熱部材４Ａが載置される断熱部材載置面６３と、床下地板材断熱部材４Ａに打ち込まれて床下地板材断熱部材４Ａを固定する断熱部材固定爪６４，６４とを有するものとされる。床下地板材断熱部材受け金具６は、具体的には図１３〜図１５に示すように形成されている。
【００６３】
すなわち、当接面６１は扁平Ｔ字状とされ、そのＴ字の垂直部下端部の両側から固定爪６２が垂直に延伸形成されている。この固定爪６２の先端部は概略Ｖ字状とされ、またこの固定爪６２の側面には平やじり状とされた戻り防止部６２ａが数段形成されている。断熱部材載置面６３はＴ字状とされた当接面の水平部上端から固定爪６２とは反対方向に垂直に延伸形成されてなるものであって、中央に位置する中央載置面６３ａと、この中央載置面６３ａの両側に位置する側部載置面６３ｂ，６３ｂとを含むものとされる。この側部載置面６３ｂは途中から起立させられて断熱部材固定爪６４とされている。この断熱部材固定爪６４の先端部もＶ字状とされている。また、当接面６１のほぼ中央に木ねじＷＳをねじ込むための透孔６１ａが形成されている。
【００６４】
次に、図１６〜図２２を参照しながら、かかる構成とされた床構造Ｋの施工について説明する。なお、以下においては、土台５の一側に平行に床下地板材１を敷設するものとして説明する。
【００６５】
（１）土台５に柱Ｃなどを建てて一階の軸組みを完成させる（図１６参照）。
【００６６】
（２）土台５側面に床下地板材断熱部材受け金具６を適宜間隔で配設する（図１７参照）。つまり、固定爪６２を土台５側面に打ち込んで床下地板材断熱部材受け金具６を仮固定した後に透孔６１ａから木ねじＷＳをねじ込んで床下地板材断熱部材受け金具６を固定する。
【００６７】
（３）床下地板材１の１列目および２列目の所定位置に２連脚床支持具Ｓ、つまり各第１の２連脚床支持具Ｓ１Ａ，Ｓ１Ｂを配設する。例えば、１列目の第１の２連脚床支持具Ｓ１Ａを長さｘ幅がいわゆる２Ｐｘ１Ｐサイズの床下地板材１前端部を受ける位置に配設し、２列目の第１の２連脚床支持具Ｓ１Ｂを長さｘ幅がいわゆる１Ｐｘ１Ｐサイズの床下地板材１前端部を受ける位置に配設する（図１７参照）。なお、土台５側に位置する２連脚床支持具Ｓ１Ａは、床下地板材１の側端部が土台５に載置される関係上、内側に位置する２連脚床支持具Ｓ１Ｂよりその分幅が短くされている。
【００６８】
（４）１列目の床下地板材断熱部材４Ａの２連脚床支持具Ｓ１Ｂに対応する位置に切欠きを入れた後に、２連脚床支持具Ｓ１Ａ，Ｓ１Ｂ土台５とそれぞれのとの間に床下地板材断熱部材４Ａを配設する（図１８参照）。この場合、床下地板材断熱部材４Ａの土台５側の側縁下面は床下地板材断熱部材受け金具６の載置面６３に載置されるとともに、断熱部材固定爪６４が打ち込まれてその位置ずれの防止が図られる一方、床下地板材断熱部材４Ａの鋼製大引２側の側縁下面は大引断熱部材４Ｂの上端面４３に載置される。
【００６９】
（５）１列目の第１の床下地板材１１Ａの後端部および溝が形成された側端部を土台５に載置する一方、前記施工マーク２３ａにより幅方向の位置調整をしながら前端部を第１の２連脚床支持具Ｓ１Ａ主部に載置しかつ側端部中央を第１の２連脚床支持具Ｓ１Ｂ端部に載置して敷設する（図１９）。この場合、床下地板材１１Ａの土台５側に載置された側縁は土台５に釘ＮＤにより固定される一方、床下地板材１１Ａの鋼製大引２に載置された前端部は鋼製大引２にドリルねじＳＢにより固定される（図１０および図１９参照）。
【００７０】
なお、施工工具の共用化を図る観点から釘ＮＤを廃止し、床下地板材１をドリルねじＳＢにより土台５に固定するようにしてもよい。
【００７１】
（６）１列目の第１の２連脚床支持具Ｓ１Ａの鋼製束３のレベル調整をして床下地板材１１Ａのレベル出しを行う。このレベル出しは一方が開放された状態で対面作業によりなされるので、無理な姿勢を取ることなくなし得る。そのため、この作業の作業性はよい。
【００７２】
（７）１列目の床下地板材１１Ａの側部に形成されたさねに接着剤を塗布した後、２列目の床下地板材１１Ｂの側部に形成された溝を前記さねに嵌合させながら、２列目の床下地板材１１Ｂ前端部を２連脚床支持具Ｓ１Ｂに載置し、後端部を土台５に載置して床下地板材１１Ｂを敷設する（図１９参照）。
【００７３】
（８）２列目の第１の２連脚床支持具Ｓ１Ｂの鋼製束３のレベル調整をして床下地板材１１Ｂのレベル出しを行う。
【００７４】
（９）２列目の第２の２連脚床支持具Ｓ２Ｂを長さｘ幅がいわゆる２Ｐｘ１Ｐサイズの床下地板材１前端部を受ける位置に配設し、３列目の第１の２連脚床支持具Ｓ１Ｃを長さｘ幅がいわゆる２Ｐｘ１Ｐサイズの床下地板材１前端部を受ける位置に配設する（図２０参照）。つまり、隣合う列の２連脚床支持具Ｓがいわゆる千鳥配列となるように２連脚床支持具Ｓを配設する。
【００７５】
（１０）２列目の第１の２連脚床支持具Ｓ１Ｂと、２列目の第２の２連脚床支持具Ｓ２Ｂとの間に、床下地板材断熱部材４Ａ両側端部の隣接列の２連脚床支持具Ｓ１Ａ，Ｓ１Ｃの対応個所に切欠きを入れて床下地板材断熱部材４Ａを配設する（図２１参照）。
【００７６】
（１１）１列目の床下地板材１１Ａの側部に形成されたさねに接着剤を塗布した後、２列目の床下地板材１２Ｂの側部に形成された溝を前記さねに嵌合させながら、前記施工マーク２３ａにより幅方向の位置調整をして床下地板材１２Ｂ前端部を２連脚床支持具Ｓ２Ｂ主部に載置し、後端部を２連脚床支持具Ｓ１Ｂ主部に載置し、一方の側端部中央を２連脚床支持具Ｓ１Ａ端部に載置し、他方の側端部中央を２連脚床支持具Ｓ１Ｃ端部に載置してその敷設をする（図２２参照）。
【００７７】
以下、同様の手順を繰り返して１階床下地を完成させ、ついでフローリングＦなどの化粧床の施工をなして１階床を完成させる。なお、さねと溝との位置関係は逆とされてもよい。例えば、床下地板材１１Ａの側部に溝を形成し、床下地板材１１Ｂにさねを形成するようにしてもよい。
【００７８】
このように、この実施形態の床構造Ｋによれば、次のようなメリットが得られる。
【００７９】
（１）木質系は床下地板材１に限定され、しかもそれが構造用合板とされているので、木瘠せ、そり、あばれなどによる床剛性の低下や床鳴りが回避される。
【００８０】
（２）鋼製大引２と鋼製束３とを備えた、規定幅の床下地材１を支持できるようにサイズが調整された２連脚床支持具により床下地材１を支持しているので、長尺の大引を床下に配設する必要がない。
【００８１】
（３）鋼製大引２が短く、かつ鋼製束３も施工現場で簡単に鋼製大引２に装着でき、そのレベル調整も開放された状態で対面作業でなし得るので、狭い場所での施工も可能となる。このことから、既設住宅の床のバリアフリー床への改造工事に好適といえる。
【００８２】
（４）大引を鋼製大引２とし、しかもそれを自己補強型としているので、鋼製大引２の小サイズ化および軽量化が図られる。
【００８３】
（５）鋼製大引２下部を断熱材で被覆しているので、熱橋問題を生ずるおそれはない。また、鋼製大引２の小サイズ化が図られているので、断熱材で被覆する範囲が少なくてよい。
【００８４】
（６）鋼製大引２と鋼製束３との接合部には硬質断熱材が介装されているので、その接合部において熱橋問題を生ずるおそれはない。
【００８５】
（７）大引や束が鋼製とされ、それらが所定の防錆処理がなされているので、床の施工工程において特段に防錆処理や防蟻処理をする必要がない。そのため、施工の簡素化および工期の短縮が図られる。
【００８６】
（８）以上のことより、床剛性の向上、床の耐久性の向上、その低コスト化、短納期化、施工の安全性の向上などが図られるとともに、環境汚染も回避される。
【００８７】
以上、本発明を実施形態に基づいて説明してきたが、本発明はかかる実施形態のみに限定されるものではなく、種々改変が可能である。例えば、本実施形態では、大引断熱部材４Ｂは鋼製大引２の下部に外嵌されているが、要求される断熱性能に応じて、例えば図２３（ａ）および（ｃ）に点線で示すように、大引断熱部材４Ｂの上端面４３を鋼製大引２の上面２ｃに一致させ、また床下地板材断熱材４Ａの厚みも鋼製大引２の高さと一致させ、その断熱効果を高めるようにしてもよい。あるいは、図２４に示すように、束受け断熱部材２４の幅を鋼製大引２の幅よりも大きくして、その鋼製大引２からはみ出した部分で床下地板材断熱材４Ａを受けるようにしてもよい。
【００８８】
また、実施形態では床構造として充填断熱工法によるものを例に取り説明されているが、断熱部材を除去することにより、基礎断熱工法の床構造についても適用することができることはいうまでもない。
【００８９】
【発明の効果】
以上詳述したように、本発明の床構造によれば、木瘠せ、そり、あばれなどに起因する床剛性の低下や床鳴りなどが防止されるという優れた効果が得られる。
【００９０】
また、本発明の床構造によれば、２連脚床支持具により床下地部材を支持するようにしているので、環境汚染を招来するおそれもないという優れた効果も得られる。
【００９１】
さらに、本発明の床構造によれば、増改築時にバリアフリーの床を簡単に提供できるという優れた効果も得られる。
【００９２】
さらに、本発明の好ましい形態によれば、２連脚床支持具に断熱が施され、かつ床下地部材も断熱されているので、いわゆる熱橋問題を生ずるおそれもないという優れた効果も得られる。
【００９３】
一方、本発明の床構造の施工方法によれば、在来工法住宅の施工の安全性を向上させながら、施工期間の短縮が図られるという優れた効果が得られる。
【図面の簡単な説明】
【図１】本発明の一実施形態に係る床構造の斜視図である。
【図２】床下地板材の側部接合部を分解して示す断面図である。
【図３】同床構造に使用される鋼製大引の正面図である。
【図４】同鋼製束の正面図である。
【図５】鋼製大引回りの部材を分解して示す斜視図である。
【図６】束取付け部材の詳細図であって、同（ａ）は一部を断面で示す正面図であり、同（ｂ）は平面図である。
【図７】束取付け部材が取付けられた鋼製大引の３面図であって、同（ａ）は正面図を示し、同（ｂ）は底面図を示し、同（ｃ）は側面図を示す。
【図８】Ｔボルトの２面図であって、同（ａ）は正面図を示し、同（ｂ）は底面図を示す。
【図９】ロッキングセレーション付ナットの３面図であって、同（ａ）は平面図を示し、同（ｂ）は一部を断面で示す正面図を示し、同（ｃ）は底面図を示す。
【図１０】組付けが完了した状態の床構造の断面図である。
【図１１】同床下地板材断熱部材受け部の正面図である。
【図１２】図側面図である。
【図１３】床下地板材断熱部材受け金具の正面図である。
【図１４】同平面図である。
【図１５】同側面図である。
【図１６】本発明の一実施形態に係る床構造の施工手順を示す説明図であって、一階の軸組みが完成した状態を示す。
【図１７】本発明の一実施形態に係る床構造の施工手順を示す説明図であって、１列目および２列目にそれぞれ２連脚床支持具が配設された状態を示す。
【図１８】本発明の一実施形態に係る床構造の施工手順を示す説明図であって、１列目および２列目に床下地板材断熱部材が配設された状態を示す。
【図１９】本発明の一実施形態に係る床構造の施工手順を示す説明図であって、１列目および２列目に床下地板材断熱部材の上に床下地板材が配設された状態を示す。
【図２０】本発明の一実施形態に係る床構造の施工手順を示す説明図であって、２列目および３列目にそれぞれ２連脚床支持具が配設された状態を示す。
【図２１】本発明の一実施形態に係る床構造の施工手順を示す説明図であって、２列目に２番目の床下地板材断熱部材が配設された状態を示す。
【図２２】本発明の一実施形態に係る床構造の施工手順を示す説明図であって、２列目に２番目の床下地板材が配設された状態を示す。
【図２３】本発明の床構造の変形例の一例の概略図である。
【図２４】同他の例の概略図である。
【符号の説明】
１        床下地板材
１ａ      さね
１ｂ      溝、小穴
２        鋼製大引
２３      緩衝用フィルム
２３ａ    位置決めマーク、施工マーク
２４      束受け断熱部材
２５      束取付け部材
３        鋼製束
３３      ベースプレート
３４      レベル調整ボルト、Ｔボルト
４        断熱部材
４Ａ      床下地板材断熱部材
４Ｂ      大引断熱部材
４１      切欠き
５        土台
６        床下地板材断熱部材受け金具、受け部材
Ｋ        床構造
Ｂ        布基礎
Ｃ        柱
Ｓ        ２連脚床支持具
【図１】
2005042348.tif 000003
【図２】
2005042348.tif 000004
【図３】
2005042348.tif 000005
【図４】
2005042348.tif 000006
【図５】
2005042348.tif 000007
【図６】
2005042348.tif 000008
【図７】
2005042348.tif 000009
【図８】
2005042348.tif 000010
【図９】
2005042348.tif 000011
【図１０】
2005042348.tif 000012
【図１１】
2005042348.tif 000013
【図１２】
2005042348.tif 000014
【図１３】
2005042348.tif 000015
【図１４】
2005042348.tif 000016
【図１５】
2005042348.tif 000017
【図１６】
2005042348.tif 000018
【図１７】
2005042348.tif 000019
【図１８】
2005042348.tif 000020
【図１９】
2005042348.tif 000021
【図２０】
2005042348.tif 000022
【図２１】
2005042348.tif 000023
【図２２】
2005042348.tif 000024
【図２３】
2005042348.tif 000025
【図２４】
2005042348.tif 000026